(57)【要約】      （修正有）【課題】物資の保管が実現され、且つ、必要に応じてボックスを棚から取り出したり、棚に設置したりすることが可能な物流キャビネットを提供する。【解決手段】収容室１１を備える棚１と、収容室に装着されるボックス２を含み、ボックスの左右両側の壁に位置規制凹溝２１が設けられ、収容室の左右両側の壁に位置規制凸起１２が設けられ、位置規制凸起が位置規制凹溝に嵌合される。使用時には、物資をボックスに投入してからボックスを棚の収容室に載置する。そして、収容室の側壁における位置規制凸起とボックスの位置規制凹溝とを係合させることで、収容室及び棚に対するボックスの上下左右への移動を効果的に規制する。【選択図】図１
0003218801.tif 000002
【実用新案登録請求の範囲】
【請求項１】
収容室（１１）を備える棚（１）と、前記収容室（１１）に装着されるボックス（２）を含み、前記ボックス（２）の左右両側の壁に位置規制凹溝（２１）が設けられており、前記収容室（１１）の左右両側の壁に位置規制凸起（１２）が設けられており、前記位置規制凸起（１２）が前記位置規制凹溝（２１）に嵌合されることを特徴とする物流キャビネット。
【請求項２】
前記収容室（１１）には複数の前記ボックス（２）が装着されていることを特徴とする請求項１に記載の物流キャビネット。
【請求項３】
前記ボックス（２）の上面には上凸起（２４）が設けられており、前記ボックス（２）の下面には下凹溝（２５）が設けられており、前記上凸起（２４）と前記下凹溝（２５）の位置が対応していることを特徴とする請求項１又は２に記載の物流キャビネット。
【請求項４】
前記ボックス（２）の上面には上凹溝（２６）が設けられており、前記ボックス（２）の下面には下凸起（２７）が設けられており、前記上凹溝（２６）と前記下凸起（２７）の位置が対応していることを特徴とする請求項１ないし請求項３のいずれか１項に記載の物流キャビネット。
【請求項５】
前記ボックス（２）は、貯蔵槽（２２１）を有する筐体（２２）と、前記筐体（２２）にヒンジ接続されるボックス扉（２３）を含み、前記ボックス扉（２３）には取っ手（２３１）が設けられていることを特徴とする請求項１ないし請求項４のいずれか１項に記載の物流キャビネット。
【請求項６】
前記棚（１）には複数の前記収容室（１１）が設けられていることを特徴とする請求項１ないし請求項５のいずれか１項に記載の物流キャビネット。
【請求項７】
前記棚（１）は、下方に位置するシャーシと、上方に位置して前記シャーシに固定接続される本体フレーム（１３）を含み、前記収容室（１１）は前記本体フレーム（１３）内に位置していることを特徴とする請求項１ないし請求項６のいずれか１項に記載の物流キャビネット。
【請求項８】
前記シャーシの底部には固定孔が設けられていることを特徴とする請求項７に記載の物流キャビネット。
【請求項９】
前記シャーシの底部にはキャスターが装着されていることを特徴とする請求項７に記載の物流キャビネット。
【請求項１０】
前記棚（１）の先端部にはソーラーパネルが装着されており、前記棚（１）の内部にはバッテリーが装着されており、且つ、前記バッテリーと前記ソーラーパネルはケーブルを介して接続されていることを特徴とする請求項１ないし請求項９のいずれか１項に記載の物流キャビネット。
【考案の詳細な説明】
【技術分野】
【０００１】
本考案は物流技術の分野に関し、特に、物流キャビネットに関する。
【背景技術】
【０００２】
従来の宅配・物流業界では、一般的に使い捨ての紙箱やテープを使用して物資を梱包し、紙箱と物資を一緒に運搬している。これら使い捨ての紙箱はサイズが統一されておらず、形状も不規則なことから、仕分けや整理、運搬の効率が低下し、物流コストを高騰させてしまう。また、これら使い捨ての紙箱は自然資源を大量に使用することから、現代の環境保護とは理念が合わず、長期的に制限なく使用できる見込みはない。したがって、こうした状況は変えていく必要がある。また、従来技術の物流キャビネットでは棚からボックスを取り出すことができない。そのため、物資を中継輸送する際には物資を紙箱に入れざるを得ず、紙箱を用いて梱包及び中継輸送した後、最終的に物資の保管のために紙箱と物資を一緒に物流キャビネットのボックスに載置することになる。結果、紙箱が大量に使用され、無駄となってしまう。
【考案の概要】
【考案が解決しようとする課題】
【０００３】
上記の従来技術における瑕疵に鑑み、本考案では、物資を保管可能な物流キャビネットを提供することを解決すべき課題とする。
【課題を解決するための手段】
【０００４】
上記の目的を実現すべく、本考案は、収容室を備える棚と、収容室に装着されるボックスを含み、前記ボックスの左右両側の壁に位置規制凹溝が設けられており、前記収容室の左右両側の壁に位置規制凸起が設けられており、位置規制凸起が位置規制凹溝に嵌合される物流キャビネットを提供する。
【０００５】
更に、前記収容室には複数のボックスが装着されている。
【０００６】
更に、前記棚には複数の収容室が設けられている。
【０００７】
更に、前記棚は、下方に位置するシャーシと、上方に位置してシャーシに固定接続される本体フレームを含み、前記収容室は本体フレーム内に位置している。
【０００８】
更に、前記シャーシの底部には固定孔が設けられている。
【０００９】
更に、前記シャーシの底部にはキャスターが装着されている。
【００１０】
更に、前記ボックスの上面には上凸起が設けられており、前記ボックスの下面には下凹溝が設けられており、前記上凸起と下凹溝の位置が対応している。
【００１１】
更に、前記ボックスの上面には上凹溝が設けられており、前記ボックスの下面には下凸起が設けられており、前記上凹溝と下凸起の位置が対応している。
【００１２】
更に、前記ボックスは、貯蔵槽を有する筐体と、筐体にヒンジ接続されるボックス扉を含み、前記ボックス扉には取っ手が設けられている。
【００１３】
更に、前記棚の先端部にはソーラーパネルが装着されており、前記棚の内部にはバッテリーが装着されており、且つ、前記バッテリーとソーラーパネルはケーブルを介して接続されている。
【考案の効果】
【００１４】
以上述べたように、本考案にかかる物流キャビネットは以下の有益な効果を有する。
本考案の物流キャビネットの使用時には、物資をボックスに投入してからボックスを棚の収容室に載置する。そして、収容室の側壁における位置規制凸起とボックスの位置規制凹溝とを係合させることで、収容室及び棚に対するボックスの上下左右への移動を効果的に規制する。これにより、棚及び当該物流キャビネットにおける物資の保管が実現される。且つ、当該物流キャビネットのボックスは、前記位置規制凸起と位置規制凹溝を係合することで棚に設置されるため、必要に応じてボックスを棚から取り出したり、棚に設置したりすることが可能である。
【図面の簡単な説明】
【００１５】
【図１】図１は、本考案の物流キャビネットの構造を示す図である。
【図２】図２は、本考案におけるボックスの斜視図である。
【図３】図３は、本考案におけるボックスの正面図である。
【考案を実施するための形態】
【００１６】
以下に、特定の具体的実施例を挙げて本考案の実施形態につき説明する。ただし、本技術を熟知する者であれば、本明細書に開示の内容から本考案のその他の利点及び効果を容易に理解可能である。
【００１７】
なお、本明細書の図面に記載する構造、比率、寸法等は、いずれも明細書に開示の内容と組み合わせることで当業者の理解と閲読に供するものにすぎず、本考案で実施可能な限定条件を規定するものではないため、技術上の実質的意味はない。あらゆる構造の補足、比率関係の変更又は寸法の調整は、本考案により得られる効果及び達成可能な目的に影響しないことを前提に、いずれも本考案で開示する技術内容の範囲に包括される。また、本明細書で引用する「上」、「下」、「左」、「右」、「中間」、「一の」等の用語もまた記述を明瞭化するためのものにすぎず、本考案で実施可能な範囲を限定するものではない。よって、相対関係の変更或いは調整もまた、技術内容を実質的に変更しないことを前提に、本考案で実施可能な範疇とみなされる。
【００１８】
図１〜図３に示すように、本考案は、収容室１１を備える棚１と、収容室１１に装着されるボックス２を含む物流キャビネットを提供する。ボックス２の左右両側の壁には位置規制凹溝２１が設けられており、収容室１１の左右両側の壁には位置規制凸起１２が設けられている。また、位置規制凸起１２は位置規制凹溝２１に嵌合される。本考案の物流キャビネットの使用時には、物資をボックス２に投入してからボックス２を棚１の収容室１１に載置する。そして、収容室１１の側壁における位置規制凸起１２とボックス２の位置規制凹溝２１とを係合させることで、収容室１１及び棚１に対するボックス２の上下左右への移動を効果的に規制する。これにより、棚１及び当該物流キャビネットにおける物資の保管が実現される。また、当該物流キャビネットのボックス２は前記位置規制凸起１２と位置規制凹溝２１の係合によって棚１に設置される。これにより、必要に応じて、ボックス２を棚１から取り出したり、棚１に設置したりすることができる。
【００１９】
図１に示すように、本実施例の収容室１１には複数のボックス２が装着されており、収容室１１内のすべてのボックス２は上下方向に沿って順次に配置されている。また、収容室１１の左右両側の壁には、複数のボックス２の位置規制凹溝２１とそれぞれ係合可能な複数の位置規制凸起１２が設けられている。これにより、複数のボックス２の固定及び秩序ある配列が実現されるため、ボックスの着脱や物資の運搬が容易となる。本実施例では、ボックス２の左右両側の壁に１又は複数の前記位置規制凹溝２１が設けられている。本実施例では、一部のボックス２の左右両側の壁に２つの前記位置規制凹溝２１が設けられており、更に、一部のボックス２の左右両側の壁には３つの前記位置規制凹溝２１が設けられている。また、図１に示すように、本実施例の棚１には複数の収容室１１が設けられており、具体的には、多くのボックス２を設置可能なよう４つの収容室１１が存在している。
【００２０】
本実施例において、棚１は分離型構造である。具体的には、下方に位置するシャーシと、上方に位置してシャーシに固定接続される本体フレーム１３を含み、前記収容室１１が本体フレーム１３内に位置している。また、本実施例においてシャーシの底部には固定孔が設けられている。当該固定孔は、シャーシを地面に固定するよう据付ボルトを取り付けるために用いられる。このように、使用時にはまずシャーシを地面に固定してから、本体フレーム１３とシャーシを固定接続することで本体フレーム１３の固定を実現する。且つ、このような固定方式によれば、必要に応じて本体フレーム１３を単独で移動させられる。このほか、固定孔に係合フックを取り付けることでシャーシ及び棚１を地面に固定してもよい。本実施例において、シャーシは固定式シャーシである。且つ、本実施例ではシャーシに電源を外付け可能である。また、前記本体フレーム１３とシャーシは相応の機械装置で安定的に接続又は分離される。他の実施例では、シャーシ及び物流キャビネット全体を押し動かしやすいよう、シャーシの底部にキャスターが装着されている。当該実施例において、シャーシは移動式シャーシであって、任意に移動させられる。また、本実施例では本体フレーム１３内に回路を敷設可能である。
【００２１】
図２及び図３に示すように、本実施例では、ボックス２の上面に上凸起２４が、ボックス２の下面に下凹溝２５が設けられており、上凸起２４と下凹溝２５の位置が対応している。これにより、複数のボックス２を積載する場合、一つのボックス２がもう一つのボックス２の上に積み重ねられ、下方に位置するボックス２の上凸起２４が上方に位置するボックス２の下凹溝２５に嵌合する一方、２つのボックス２の側辺は面一となる。よって、上下２つのボックス２の互いの摺動が回避され、複数のボックス２の積載が容易となる。また、本実施例では更に、ボックス２の上面に上凹溝２６が、ボックス２の下面に下凸起２７が設けられており、上凹溝２６と下凸起２７の位置が対応している。複数のボックス２を積載する場合には、上方に位置するボックス２の下凸起２７が下方に位置するボックス２の上凹溝２６に嵌合する一方、２つのボックス２の側辺は面一となる。よって、上下２つのボックス２の互いの摺動が回避され、複数のボックス２の積載が容易となる。本実施例において、ボックス２は直方体構造をなしている。
【００２２】
図２及び図３に示すように、本実施例においてボックス２は、貯蔵槽２２１を有する筐体２２と、筐体２２にヒンジ接続されるボックス扉２３を含む。また、ボックス扉２３には取っ手２３１が設けられている。使用時には、物資をボックス２内に保管して紛失を回避すべく、取っ手２３１によりボックス扉２３を開放し、物資を貯蔵槽２２１に投入してからボックス扉２３を閉止する。本実施例において、取っ手２３１は凹溝型の取っ手である。また、必要時にボックス扉２３の開閉が保証され、且つ、ボックス２に対する物資の安全な出し入れが確実となるよう、ボックス扉２３にはロック部材が装着されている。当該ボックス２は物流ボックスであり、主たる役割として、適切に物資を載置するとともに、物資の安全、盗難防止、防水、押し潰れ防止等を保証する。上凸起２４と上凹溝２６は筐体２２の上面に位置しており、下凸起２７と下凹溝２５は筐体２２の下面に位置している。こうした浅い凹凸構造によって、ボックス２の積み重ね時における固定が容易となる。筐体２２の左右両側の壁には前記位置規制凹溝２１が設けられている。当該ボックス２は単独で使用してもよいし、専用の棚１、専用の仕分けシステム、専用の運搬車両と組み合わせて使用してもよい。
【００２３】
本実施例では、前記棚１の位置規制凸起１２とボックス２の位置規制凹溝２１との係合作用によって、ボックス２を適切に棚１へ設置可能である。これにより、ボックス２の安全を保証しつつ、盗難防止、防水、押し潰れ防止等の作用が奏される。本実施例では、前記ボックス２を設置する際に、棚１の前後両端面からの出し入れが可能となっている。即ち、前から後ろへボックス２を収容室１１に装入し、位置規制凸起１２を位置規制凹溝２１に嵌合してもよいし、後から前へボックス２を収容室１１に装入し、位置規制凸起１２を位置規制凹溝２１に嵌合してもよいため操作しやすい。
【００２４】
前記本体フレーム１３の先端部には、照明器具、監視プローブ、日除けプレートが装着されている。また、本実施例では更に、棚１の先端部にソーラーパネルが、棚１の内部にバッテリーが装着されている。且つ、ソーラーパネルにより太陽エネルギーを電気エネルギーに変換してバッテリーに蓄積するよう、バッテリーとソーラーパネルはケーブルを介して接続されている。また、バッテリーから照明器具及び監視プローブに電気供給されるよう、前記照明器具と監視プローブはいずれもケーブルを介してバッテリーに接続されている。
【００２５】
本実施例において、前記本体フレーム１３の先端部には排水孔及び吊架用孔が設けられており、それぞれ排水及び吊架等に用いられる。また、本体フレーム１３には電源を外付けしてもよい。前記本体フレーム１３は、平地、車両、ベルトコンベア上などで使用可能である。
【００２６】
前記棚１は、出荷、仕分け、運搬、受取の全過程にわたりボックス２と組み合わせて使用されることで、運搬効率を高めつつ運搬コストを低減させる。前記棚１とボックス２は標準サイズで製造され、これらを組み合わせて使用することで、発荷主、運送会社、荷受人は最大限の利便性を享受できるほか、物流効率が向上し、物流コストが低減する。本実施例において、前記棚１とボックス２はいずれも繰り返し使用可能である。本実施例では、ボックス２を使い捨ての紙箱に代えて使用することで、運搬効率の向上、運搬コストの削減及び自然資源の保護を実現するとともに、宅配・物流業界を長期的且つ健全・持続的に発展させるとの目的を達成可能としている。前記物流キャビネットは、物流フロー全体を通じて非常に使用しやすい。また、設計機能を最大限に発揮することで、物資の運搬過程が標準化及び集約化されるため、物流効率の向上とコストの低減が実現される。
【００２７】
上述したように、本考案は従来技術における様々な瑕疵を効果的に解消するものであり、高度な産業上の利用価値を有する。
【００２８】
なお、上記実施例は本考案の原理と効果を例示的に説明するものにすぎず、本考案を制限するものではない。本技術を熟知する者であれば、本考案の精神及び範疇を逸脱しないことを前提に、上記実施例を補足又は変更可能である。よって、当業者が本考案で開示する精神及び技術思想を逸脱することなく実施するあらゆる等価の補足又は変更は、本考案の請求の範囲に包括される。
【符号の説明】
【００２９】
１    棚
１１    収容室
１２    位置規制凸起
１３    本体フレーム
２    ボックス
２１    位置規制凹溝
２２    筐体
２２１    貯蔵槽
２３    ボックス扉
２３１    取っ手
２４    上凸起
２５    下凹溝
２６    上凹溝
２７    下凸起
【図１】
0003218801.tif 000003
【図２】
0003218801.tif 000004
【図３】
0003218801.tif 000005